(57)【要約】【課題】一の発光部から発せられた光路長の異なる光を検知して焦点位置を検出する構成において、当該光を異なるタイミングで一の検知手段に入射できるようにする。【解決手段】一の発光部から発せられた光を被走査領域及び被走査領域外に対して主走査方向に偏向走査する走査手段と、前記走査手段で走査された光を検知する検知手段と、前記走査手段によって前記被走査領域外に走査される光を第１位置で前記検知手段に導く第１導き手段と、前記走査手段によって前記被走査領域外に走査される光を、前記第１位置から前記主走査方向にずれた第２位置において前記第１導き手段とは異なる光路長で前記検知手段に導く第２導き手段と、前記第１導き手段及び前記第２導き手段が導くことで前記検知手段によって検知された光路長の異なる光の径に基づき、前記一の発光部からの光の焦点位置を検出する検出部と、を備える。【選択図】図３
2013029535.tif 000002
【特許請求の範囲】
【請求項１】
一の発光部から発せられた光を被走査領域及び被走査領域外に対して主走査方向に偏向走査する走査手段と、
前記走査手段で走査された光を検知する検知手段と、
前記走査手段によって前記被走査領域外に走査される光を第１位置で前記検知手段に導く第１導き手段と、
前記走査手段によって前記被走査領域外に走査される光を、前記第１位置から前記主走査方向にずれた第２位置において前記第１導き手段とは異なる光路長で前記検知手段に導く第２導き手段と、
前記第１導き手段及び前記第２導き手段が導くことで前記検知手段によって検知された光路長の異なる光の径に基づき、前記一の発光部からの光の焦点位置を検出する検出部と、
を備える光走査装置。
【請求項２】
前記第２導き手段は、前記第１導き手段が導く光の前記検知手段に対する入射角度と、同一角度で光を前記検知手段へ入射させる請求項１に記載の光走査装置。
【請求項３】
複数の発光部を有し、前記被走査領域に対する前記光の走査開始タイミングを検出するために用いられる発光部とは異なる前記一の発光部から発せられた光が検知手段に入射される光源を備える請求項１又は２に記載の光走査装置。
【請求項４】
画像が形成される被走査領域としての画像領域を外周面に有する感光体と、
前記画像領域及び画像領域外に前記光を走査する前記請求項１〜３のいずれか１項に記載の光走査装置と、
を備える画像形成装置。
【発明の詳細な説明】
【技術分野】
【０００１】
本発明は、光走査装置及び画像形成装置に関する。
【背景技術】
【０００２】
特許文献１には、以下の構成が開示されている。光源１１から出射されたレーザ光は、コリメートレンズ１２により平行光に変換され、多面回転鏡１６で反射される。反射光は、ｆθレンズ１７を経て感光体１８の被走査面上に集光される。前記レーザ光の不使用光束の一部は、１／４波長板２０および分離／光路差発生器２１に入射する。該分離／光路差発生器２１は、前記不使用光束の一部を複数の光束に分離し、かつ光路差を発生させる。この結果、１個のＣＣＤアレイ１９には、集光位置の異なる複数の光束が入射する。これにより、分離／光路差発生器２１として、回折格子、複屈折板、偏光板などを使用することができる。
【０００３】
特許文献２には、以下の構成が開示されている。検知手段１０は、共通のベース２０に２つの光学センサＳａ、Ｓｂを像高方向（図中矢印Ｘ方向）にΔＸだけ離して設ける。理想的な深度カーブの形状をあらかじめ制御部１３のメモリにテーブル化して記憶する。光学センサＳａ、Ｓｂでそれぞれビーム径ｄａ’、ｄｂ’を計測し、これらをあらかじめ記憶させていた深度カーブのテーブルと照らし合わせてビームスポット径がもっとも小さくなるウェスト位置を演算し、像面位置との差から補正レンズ３、４の駆動量を算出して移動させる。その後、確認のために光学センサＳａ、Ｓｂでビームスポット径を再度計測して適否を判断し、微妙に異なっていれば動作を繰り返す。
【先行技術文献】
【特許文献】
【０００４】
【特許文献１】特開平６−２５８５８７号公報
【特許文献２】特開２００２−６２４９５号公報
【発明の概要】
【発明が解決しようとする課題】
【０００５】
本発明は、一の発光部から発せられた光路長の異なる光を検知して焦点位置を検出する構成において、当該光を異なるタイミングで一の検知手段に入射できるようにすることを課題とする。
【課題を解決するための手段】
【０００６】
請求項１の発明は、一の発光部から発せられた光を被走査領域及び被走査領域外に対して主走査方向に偏向走査する走査手段と、前記走査手段で走査された光を検知する検知手段と、前記走査手段によって前記被走査領域外に走査される光を第１位置で前記検知手段に導く第１導き手段と、前記走査手段によって前記被走査領域外に走査される光を、前記第１位置から前記主走査方向にずれた第２位置において前記第１導き手段とは異なる光路長で前記検知手段に導く第２導き手段と、前記第１導き手段及び前記第２導き手段が導くことで前記検知手段によって検知された光路長の異なる光の径に基づき、前記一の発光部からの光の焦点位置を検出する検出部と、を備える光走査装置である。
【０００７】
請求項２の発明は、前記第２導き手段は、前記第１導き手段が導く光の前記検知手段に対する入射角度と、同一角度で光を前記検知手段へ入射させる請求項１に記載の光走査装置である。
【０００８】
請求項３の発明は、複数の発光部を有し、前記被走査領域に対する前記光の走査開始タイミングを検出するために用いられる発光部とは異なる前記一の発光部から発せられた光が検知手段に入射される光源を備える請求項１又は２に記載の光走査装置。
【０００９】
請求項４の発明は、画像が形成される被走査領域としての画像領域を外周面に有する感光体と、前記画像領域及び画像領域外に前記光を走査する前記請求項１〜３のいずれか１項に記載の光走査装置と、を備える画像形成装置である。
【発明の効果】
【００１０】
本発明の請求項１の構成によれば、一の発光部から発せられた光路長の異なる光を検知して焦点位置を検出する構成において、当該光を異なるタイミングで一の検知手段に入射できる。
【００１１】
本発明の請求項２の構成によれば、検知手段に入射される光に対する検知手段の検知感度を等しくできる。
【００１２】
本発明の請求項３の構成によれば、焦点位置を検出するための発光部と走査手段の走査開始タイミングを検出するための発光部とが同じである場合に比べ、各発光部の寿命のばらつきを抑制できる。
【００１３】
本発明の請求項４の構成によれば、一の発光部から発せられた光路長の異なる光を検知して焦点位置を検出する構成において、当該光を異なるタイミングで一の検知手段に入射できる。
【図面の簡単な説明】
【００１４】
【図１】本実施形態に係る画像形成装置の構成を示す概略図である。
【図２】本実施形態に係る光走査装置の構成を示す斜視図である。
【図３】本実施形態に係る光走査装置の構成を示す平面図である。
【図４】第１ＥＯＳミラー及び第２ＥＯＳミラーによってＥＯＳセンサの受光面へ導かれるレーザ光の入射角度を示す図である。
【図５】レーザ光の焦点位置を検出する構成を説明するための説明図である。
【図６】レーザ光のビーム径（ビームサイズ）を検出する構成を説明するための説明図である。
【図７】本実施形態に係る光源の構成を示す概略図である。
【図８】レーザ光の副走査方向のビームサイズも検出する構成を説明するための説明図である。
【図９】第１変形例に係る光走査装置の構成を示す平面図である。
【図１０】第２変形例に係る光走査装置の構成を示す平面図である。
【図１１】第３変形例に係る光走査装置の構成を示す平面図である。
【発明を実施するための形態】
【００１５】
以下に、本発明に係る実施形態の一例を図面に基づき説明する。
【００１６】
（本実施形態に係る画像形成装置の構成）
まず、本実施形態に係る画像形成装置の構成を説明する。図１は、本実施形態に係る画像形成装置の構成を示す概略図である。
【００１７】
画像形成装置１１０は、用紙等の記録媒体Ｐが収容される記録媒体収容部１１２と、記録媒体Ｐにトナー画像を形成する画像形成部１１４と、記録媒体収容部１１２から画像形成部１１４へ記録媒体Ｐを搬送する搬送部１１６と、画像形成部１１４によって形成されたトナー画像を記録媒体Ｐに定着させる定着装置１１８と、定着装置１１８によってトナー画像が定着された記録媒体Ｐが排出される記録媒体排出部（図示省略）と、を備えている。
【００１８】
画像形成部１１４は、シアン（Ｃ）、マゼンタ（Ｍ）、イエロー（Ｙ）、ブラック（Ｋ）の各色のトナー画像が形成される画像形成ユニット１２２Ｃ、１２２Ｍ、１２２Ｙ、１２２Ｋと、画像形成ユニット１２２Ｃ、１２２Ｍ、１２２Ｙ、１２２Ｋで形成されたトナー画像が転写される中間転写体の一例としての中間転写ベルト１２４と、画像形成ユニット１２２Ｃ、１２２Ｍ、１２２Ｙ、１２２Ｋで形成されたトナー画像を中間転写ベルト１２４に転写する一次転写部材の一例としての一次転写ロール１２６と、中間転写ベルト１２４に転写されたトナー画像を記録媒体Ｐに転写する二次転写部材の一例としての二次転写ロール１２８と、を備えている。
【００１９】
画像形成ユニット１２２Ｃ、１２２Ｍ、１２２Ｙ、１２２Ｋは、表面に静電潜像が形成される像保持体として、一方向（図１において時計回り方向）へ回転する感光体１３０をそれぞれ有している。
【００２０】
各感光体１３０の周囲には、感光体１３０の回転方向上流側から順に、感光体１３０の表面を帯電させる帯電装置１３２と、帯電した感光体１３０の表面を露光して感光体１３０の表面に静電潜像を形成する露光装置としての光走査装置１０と、感光体１３０の表面に形成された静電潜像を現像してトナー画像を形成する現像装置１３６と、トナー画像が中間転写ベルト１２４に転写された後の感光体１３０の表面に残留しているトナーを除去する除去装置１４０と、が設けられている。なお、光走査装置１０の具体的な構成は後述する。
【００２１】
中間転写ベルト１２４は、二次転写ロール１２８に対向する対向ロール１４２、駆動ロール１４４及び支持ロール１４６によって支持され、感光体１３０と接触しながら一方向（図１において反時計回り方向）へ循環移動するようになっている。
【００２２】
一次転写ロール１２６は、中間転写ベルト１２４を挟んで、感光体１３０に対向している。一次転写ロール１２６と感光体１３０との間には、感光体１３０上のトナー画像が中間転写ベルト１２４に一次転写される一次転写位置が形成される。この一次転写位置において、一次転写ロール１２６が感光体１３０の表面のトナー画像を圧接力と静電力により中間転写ベルト１２４に転写するようになっている。
【００２３】
二次転写ロール１２８は、中間転写ベルト１２４を挟んで対向ロール１４２と対向している。二次転写ロール１２８と対向ロール１４２との間には、中間転写ベルト１２４上のトナー画像が記録媒体Ｐに二次転写される二次転写位置が形成される。
【００２４】
搬送部１１６は、記録媒体収容部１１２に収容された記録媒体Ｐを送り出す送出ロール１５０と、送出ロール１５０によって送り出された記録媒体Ｐを二次転写位置へ挟持搬送する搬送ロール対１５２と、を備えている。
【００２５】
定着装置１１８は、二次転写位置より搬送方向下流側に設けられており、二次転写位置で転写されたトナー画像を記録媒体Ｐへ定着させる。
【００２６】
二次転写位置より搬送方向下流側であって、定着装置１１８よりも搬送方向上流側には、定着装置１１８に記録媒体Ｐを搬送する搬送部材の一例としての搬送ベルト１５４が設けられている。
【００２７】
以上の構成により、本実施形態に係る画像形成装置１１０では、まず記録媒体収容部１１２から送り出された記録媒体Ｐが、搬送ロール対１５２によって二次転写位置へ送り込まれる。
【００２８】
一方、中間転写ベルト１２４には、画像形成ユニット１２２Ｃ、１２２Ｍ、１２２Ｙ、１２２Ｋで形成された各色のトナー画像が重ねられて、カラー画像が形成される。二次転写位置へ送り込まれた記録媒体Ｐは、中間転写ベルト１２４上に形成されたカラー画像が転写される。
【００２９】
トナー画像が転写された記録媒体Ｐは、定着装置１１８へ搬送され、転写されたトナー画像が定着装置１１８により定着される。トナー画像が定着された記録媒体Ｐは、記録媒体排出部（図示省略）へ排出される。以上のように、一連の画像形成動作が行われる。
【００３０】
なお、画像形成装置の構成としては、上記の構成に限られず、例えば、中間転写体を有さない直接転写型の画像形成装置でもよく、光走査装置１０を備える画像形成装置であれば、他の構成としてもよい。
【００３１】
（本実施形態に係る光走査装置１０の構成）
次に、本実施形態に係る光走査装置１０の構成を説明する。図２及び図３は、本実施形態に係る光走査装置１０の構成を示す概略図である。なお、図２における一点鎖線はレーザ光の主光線を示し、図２における実線は周辺光線を示す。また、図２では、回転多面鏡１４の反射面１４Ａの一部のみを図示している。さらに、図３における実線はレーザ光の主光線を示す（図４、９〜１１における実線も同様である）。
【００３２】
図２及び図３に示すように、光走査装置１０は、複数の発光部１２Ａ（図７参照）を有する光源１２と、光源１２の各発光部１２Ａから発せられた光（具体的には、レーザ光）を主走査方向に偏向走査する走査手段の一例としての回転多面鏡１４と、を備えている。回転多面鏡１４は、駆動部（図示省略）よって回転するように構成されている。なお、光源１２は、単一の発光部１２Ａを有する構成であってもよい。
【００３３】
光源１２と回転多面鏡１４との間には、すなわち、光源１２から回転多面鏡１４までの光路中には、レーザ光の照射方向（進行方向）に沿って、コリメータレンズ１６、スリット部材１８、ハーフミラー２０、第１レンズ２１、シリンドリカルレンズ２４及び第２レンズ２２が、この順で設けられている。第１レンズ２１及び第２レンズ２２は、レーザ光を主走査方向へ発散させる、すなわち、レーザ光のビーム径（ビームサイズ）を主走査方向へ拡大する拡大光学系を構成している。
【００３４】
光走査装置１０では、光源１２から射出されたレーザ光は、コリメータレンズ１６で平行光に変換され、スリット部材１８のスリットを通過することで予め定められた断面形状に整形されるようになっている。この成形されたレーザ光は、その一部のレーザ光がハーフミラー２０で反射されると共に、その一部以外のレーザ光がハーフミラー２０を透過するようになっている。
【００３５】
光走査装置１０では、ハーフミラー２０によって反射されたレーザ光は、集光レンズ２３によって集光され、フィルタ２５を介して、光量検知センサ２７に入射するようになっており、光量検知センサ２７が検知したレーザ光の光量から光源１２における光量が検出されるように構成されている。ハーフミラー２０を透過したレーザ光は、シリンドリカルレンズ２４によって副走査方向へ集光され、第１レンズ２１及び第２レンズ２２によって主走査方向へ発散されるようになっている。
【００３６】
第１レンズ２１及び第２レンズ２２によって主走査方向へ発散されたレーザ光は、回転多面鏡１４の反射面１４Ａで反射して、感光体１３０における画像領域（被走査領域の一例）Ｒ１及び画像領域外（被走査領域外の一例）Ｒ２へ偏向走査される。
【００３７】
回転多面鏡１４が第２レンズ２２からのレーザ光を反射する反射側には、レーザ光の照射方向（進行方向）に沿って、第１ｆθレンズ２６、第２ｆθレンズ２８、第１ミラー３０及び第２ミラー３２がこの順で設けられている。
【００３８】
光走査装置１０では、回転多面鏡１４で偏向されたレーザ光は、第１ｆθレンズ２６及び第２ｆθレンズ２８を通過することにより、第１ミラー３０及び第２ミラー３２で反射された後に、感光体１３０上に結像されると共に等速度で走査されるようになっている。
【００３９】
本実施形態では、第１レンズ２１及び第２レンズ２２によりレーザ光を主走査方向に拡大した後に、感光体１３０の外周面上に結像することで、感光体１３０の外周面上におけるレーザ光の径が小さくなるように構成されている。
【００４０】
また、光走査装置１０は、画像領域Ｒ１に対するレーザ光の走査開始タイミングを検出するための第１センサ３４（以下、ＳＯＳセンサ３４という）と、画像領域Ｒ１に対するレーザ光の走査終了タイミングを検出するための第２センサ３６（以下、ＥＯＳセンサ３６という）と、を備えている。
【００４１】
ＳＯＳセンサ３４及びＥＯＳセンサ３６は、それぞれ、第２ミラー３２で反射されたレーザ光を受光する受光面（検知面）３４Ａ、３６Ａを有するセンサ（例えば、フォトダイオード）で構成されている。
【００４２】
第２ミラー３２がレーザ光を反射する反射側には、第２ミラー３２で反射されたレーザ光を走査方向開始側においてＳＯＳセンサ３４の受光面３４Ａへ導く反射ミラー３８（以下、ＳＯＳミラー３８という）が設けられている。
【００４３】
ＳＯＳミラー３８は、第２ミラー３２で反射されたレーザ光のうち、感光体１３０の画像領域外Ｒ２に走査されるレーザ光、具体的には、感光体１３０の画像領域Ｒ１よりも走査方向開始側（図３における右側）に照射されるレーザ光を反射することで、ＳＯＳセンサ３４の受光面３４Ａに導くようになっている。
【００４４】
ＳＯＳミラー３８とＳＯＳセンサ３４との間には、ＳＯＳミラー３８によってＳＯＳセンサ３４の受光面３４Ａへ導かれるレーザ光を集光させる集光レンズ４０（以下、ＳＯＳレンズ４０という）が設けられている。
【００４５】
また、第２ミラー３２がレーザ光を反射する反射側には、第２ミラー３２で反射されたレーザ光を走査方向終了側においてＥＯＳセンサ３６の受光面３６Ａへ導く第１導き手段の一例としての第１反射ミラー（以下、第１ＥＯＳミラーという）４１と、第２ミラー３２で反射されたレーザ光を走査方向終了側においてＥＯＳセンサ３６の受光面３６Ａへ導く第２導き手段の一例としての第２反射ミラー（以下、第２ＥＯＳミラーという）４２と、が設けられている。
【００４６】
第１ＥＯＳミラー４１及び第２ＥＯＳミラー４２とＥＯＳセンサ３６との間には、第１ＥＯＳミラー４１及び第２ＥＯＳミラー４２によってＥＯＳセンサ３６の受光面３６Ａへ導かれるレーザ光を集光させる集光レンズ４４（以下、ＥＯＳレンズ４４という）が設けられている。
【００４７】
第１ＥＯＳミラー４１及び第２ＥＯＳミラー４２は、第２ミラー３２で反射されたレーザ光のうち、感光体１３０の画像領域外Ｒ２に走査されるレーザ光、具体的には、感光体１３０の画像領域Ｒ１よりも走査方向終了側（図３における左側）に照射されるレーザ光を反射することで、ＥＯＳセンサ３６の受光面３６Ａに導くようになっている。
【００４８】
第１ＥＯＳミラー４１は、第２ＥＯＳミラー４２よりも走査方向開始側（図３における右側）に設けられており、第１ＥＯＳミラー４１は、予め定められた第１位置で第２ミラー３２からのレーザ光を反射し、第２ＥＯＳミラー４２は、第１位置よりも走査方向終了側の予め定められた第２位置で第２ミラー３２からのレーザ光を反射するように構成されている。
【００４９】
また、第１ＥＯＳミラー４１は、第２ＥＯＳミラー４２よりも、第２ミラー３２の反射面から離れた位置であって、かつ、ＥＯＳセンサ３６の受光面３６Ａから離れた位置で、レーザ光を反射するように構成されている。これにより、第１ＥＯＳミラー４１によってＥＯＳセンサ３６の受光面３６Ａへ導かれるレーザ光の光路が、第２ミラー３２の反射面から離れた長さ分、及びＥＯＳセンサ３６の受光面３６Ａから離れた長さ分、第２ＥＯＳミラー４２によってＥＯＳセンサ３６の受光面３６Ａへ導かれるレーザ光の光路も長くなっている。従って、ＥＯＳセンサ３６の受光面３６Ａへは、複数の発光部１２Ａのうちの一の発光部１２Ａから照射された深度位置の異なるレーザ光が入射されるようになっている。
【００５０】
なお、第２ＥＯＳミラー４２によってＥＯＳセンサ３６の受光面３６Ａへ導かれるレーザ光の光路が、第１ＥＯＳミラー４１によってＥＯＳセンサ３６の受光面３６Ａへ導かれるレーザ光の光路よりも長くなっている構成であってもよい。
【００５１】
さらに、図４に示すように、第１ＥＯＳミラー４１及び第２ＥＯＳミラー４２によってＥＯＳセンサ３６の受光面３６Ａへ導かれるレーザ光は、ＥＯＳセンサ３６の受光面３６Ａに対して同一角度θで入射するように、第１ＥＯＳミラー４１、第２ＥＯＳミラー４２及びＥＯＳセンサ３６の位置及び角度（向き）が設定されている。
【００５２】
光走査装置１０では、ＥＯＳセンサ３６は、さらに、レーザ光の焦点位置を検出するために、第２ミラー３２で反射されたレーザ光を検知する検知手段して機能する構成となっている。前述のように、一の発光部１２Ａから照射された深度位置の異なるレーザ光がＥＯＳセンサ３６に入射するようになっており、ＥＯＳセンサ３６には、ＥＯＳセンサ３６に入射した深度位置の異なるレーザ光のビーム径（ビームサイズ）からレーザ光の焦点位置を検出する検出部３９（判定部）が接続されている。検出部３９では、例えば、以下のように、レーザ光の焦点位置を検出するようになっている。
【００５３】
図５に示すように、例えば、レーザ光の焦点位置が感光体１３０の外周面上（図５の一点鎖線の位置）にある場合、すなわち、レーザ光のビーム径が最小となる位置が感光体１３０の外周面上にある場合、第１ＥＯＳミラー４１で反射してＥＯＳセンサ３６に入射したレーザ光のビーム径（図５の実線の矢印Ａ）と、第２ＥＯＳミラー４２で反射してＥＯＳセンサ３６に入射したレーザ光のビーム径（図５の実線の矢印Ｂ）と、が同じとなるように、ＥＯＳセンサ３６、第１ＥＯＳミラー４１及び第２ＥＯＳミラー４２の位置・角度（向き）が設定されている（図５の太い実線参照）。
【００５４】
検出部３９では、第１ＥＯＳミラー４１からのレーザ光のビーム径（図５の破線の矢印Ａ）と、第２ＥＯＳミラー４２からのレーザ光のビーム径（図５の破線の矢印Ｂ）と、が異なることで、レーザ光の焦点位置が感光体１３０の外周面上からずれていることが検出されるようになっている（図５の太い破線参照）。そして、第１ＥＯＳミラー４１からのレーザ光のビーム径と、第２ＥＯＳミラー４２からのレーザ光のビーム径と、の差から、レーザ光の焦点位置の感光体１３０の外周面上からのズレ量が検出されるようになっている。
【００５５】
本実施形態では、図５における矢印Ａ及び矢印Ｂは、感光体面上から等距離に設定されている。すなわち、第１ＥＯＳミラー４１からのレーザ光（図５の破線の矢印Ａ）と、第２ＥＯＳミラー４２からのレーザ光（図５の破線の矢印Ｂ）とは、感光体面上における深度に対する深度差が同じに設定されている。ただし、レーザ光の焦点位置を検出する構成としては、この設定に限られるものでない。第１ＥＯＳミラー４１からのレーザ光（図５の破線の矢印Ａ）のビーム径と、第２ＥＯＳミラー４２からのレーザ光（図５の破線の矢印Ｂ）ビーム径との相対差から焦点位置の検出が可能であるから、当該２つのレーザ光は、感光体面上における深度に対する深度差が異なっていてもよく、例えば、第１ＥＯＳミラー４１からのレーザ光（図５の破線の矢印Ａ）の深度を感光体面上の深度と同じに設定して焦点位置を検出する場合であってもよい。なお、ＥＯＳセンサ３６を本来の機能（走査終了タイミング検出）使用する場合では、このように、感光体面上の深度と同じに設定することが望ましい。
【００５６】
また、検出部３９では、例えば、図６に示すように、第１ＥＯＳミラー４１及び第２ＥＯＳミラー４２で反射されてＥＯＳセンサ３６の受光面３６Ａを走査されるレーザ光が通過する通過時間によって、レーザ光のビーム径を検出するようになっている。
【００５７】
具体的には、ＥＯＳセンサ３６の受光面３６Ａにおける主走査方向Ｘと直交するエッジ部３６Ｂを、主走査方向に走査されるレーザ光が通過する通過時間（立ち下り時間）によって、レーザ光の主走査方向のビームサイズが検出される。レーザ光の主走査方向のビームサイズが小さい場合には当該通過時間が短く（図６（Ａ）参照）、レーザ光の主走査方向のビームサイズが大きい場合には当該通過時間が長くなる（図６（Ｂ）参照）。
【００５８】
なお、ＥＯＳセンサ３６の受光面３６Ａが図６に示す形状をしている構成でなくてもよく、例えば、ＥＯＳセンサ３６のレーザ光の入射側に、図６に示す形状をしたスリットを設ける構成であってもよい。この構成では、スリットを通過する通過時間によってレーザ光のビーム径（ビームサイズ）が検出される。
【００５９】
ビームサイズを検出する方法は、これに限られず、例えば、センサに入射するビームの強度を代用特性としてビームサイズを検出する構成であってもよく、ビームサイズを検出できればよい。なお、ビームサイズは、大きい場合にビームの強度が下がり、小さい場合にビームの強度が上がる特性を有している。
【００６０】
また、光走査装置１０は、主走査方向に屈折力をもつ光学系であるコリメータレンズ１６、第１レンズ２１及び第２レンズ２２の少なくとも１つを、レーザ光の照射方向（進行方向）及びその反対方向へ移動させる移動機構５０を備えている（図３参照）。移動機構５０が、検出部３９によって検出されたレーザ光の焦点位置に基づき、コリメータレンズ１６、第１レンズ２１及び第２レンズ２２の少なくとも１つを移動させることで、レーザ光の焦点位置が調整可能とされている。なお、図３では、第２レンズ２２に移動機構５０が設けられた構成が図示されている。
【００６１】
移動機構５０は、例えば、ボールねじを用いて構成され、ボールねじのシャフトを駆動モータの駆動力又は、手動により回転（正転・逆転）させることで、第２レンズ２２を移動させる構成となっている。なお、移動機構５０としては、ボールねじを用いた構成に限られず、公知の構成を含めて種々の構成を用いることが可能である。
【００６２】
なお、主走査方向に屈折力をもつ光学系が、他にある構成において、当該光学系をレーザ光の照射方向（進行方向）及びその反対方向へ移動させることでレーザ光の焦点位置が調整可能としてもよい。
【００６３】
また、本実施形態の光源１２は、図７に示すように、例えば、複数の発光部１２Ａが二次元状に設けられており、副走査方向Ｙに８個並べられた列が主走査方向Ｘに４列設けられた計３２個の発光部１２Ａを有している。主走査方向Ｘにおける走査開始側に設けられた複数の発光部１２Ａ（例えば、破線Ａで囲まれた発光部１２Ａ）が、画像領域Ｒ１に対するレーザ光の走査開始タイミング及び画像領域Ｒ１に対するレーザ光の走査終了タイミングを検出するために用いられる。
【００６４】
なお、画像領域Ｒ１に対するレーザ光の走査開始タイミングを検出するために用いられる発光部１２Ａ及び、画像領域Ｒ１に対するレーザ光の走査終了タイミングを検出するために用いられる発光部１２Ａは、図７における破線Ａで囲まれた発光部１２Ａに限られるものではなく、複数の発光部１２Ａの中から任意に選択される単数又は複数で構成される。
【００６５】
走査開始タイミング及び走査終了タイミングを検出するための発光部１２Ａとは異なる単一の発光部１２Ａ（例えば、破線Ｂで囲まれた発光部１２Ａ）又は複数の発光部１２Ａ（例えば、破線Ｃで囲まれた発光部１２Ａ）が、レーザ光の焦点位置を検出するために用いられる。
【００６６】
また、走査開始タイミング及び走査終了タイミングを検出するための発光部１２Ａと一部共通とされた複数の発光部１２Ａ（例えば、破線Ｄで囲まれた発光部１２Ａ）を、レーザ光の焦点位置を検出するために用いてもよい。
【００６７】
なお、光走査装置１０では、ＳＯＳセンサ３４でレーザ光を検知した時点から予め定められた時間（パルス）後に、画像領域Ｒ１に対するレーザ光の走査開始されることが測定等により既知となっており、ＳＯＳセンサ３４がレーザ光を検知したタイミングに基づき画像領域Ｒ１に対するレーザ光の走査開始タイミングが検出される。
【００６８】
また、光走査装置１０では、ＥＯＳセンサ３６でレーザ光を検知した時点から予め定められた時間（パルス）前に、画像領域Ｒ１に対するレーザ光の走査終了されることが測定等により既知となっており、ＥＯＳセンサ３６がレーザ光を検知したタイミングに基づき画像領域Ｒ１に対するレーザ光の走査終了タイミングが検出される。
【００６９】
走査開始タイミング及び走査終了タイミングは、例えば、検出部３９によって検出され、この検出された走査開始タイミング及び走査終了タイミングに基づき、画像形成装置１１０における各色の画像書き出し位置等が制御されるようになっている。
【００７０】
（本実施形態に係る作用）
次に、本実施形態に係る作用を説明する。
【００７１】
本実施形態に係る光走査装置１０によれば、光源１２における複数の発光部１２Ａから照射されたレーザ光は、コリメータレンズ１６、スリット部材１８、ハーフミラー２０、第１レンズ２１、シリンドリカルレンズ２４及び第２レンズ２２を経て、回転多面鏡１４で偏向される。回転多面鏡１４で偏向されたレーザ光は、第１ｆθレンズ２６及び、第２ｆθレンズ２８を通過することにより、第１ミラー３０及び第２ミラー３２で反射された後に、感光体１３０の外周面上に結像されると共に等速度で走査される。
【００７２】
本実施形態では、第１レンズ２１及び第２レンズ２２によってレーザ光を主走査方向に拡大した後に、第１ｆθレンズ２６及び第２ｆθレンズ２８によって感光体１３０の外周面上に結像することで、感光体１３０の外周面上におけるレーザ光のビーム径が小さくなる。
【００７３】
第２ミラー３２で反射されたレーザ光であって、かつ、複数の発光部１２Ａのうちの一の発光部１２Ａから照射されたレーザ光のうち、感光体１３０の画像領域Ｒ１よりも走査方向終了側（図３における左側）へ走査されるレーザ光は、予め定められた第１位置に到達すると、第１ＥＯＳミラー４１によって反射されて、ＥＯＳセンサ３６の受光面３６Ａに導かれ、第１位置よりも走査方向終了側（図３における左側）にずれた第２位置に到達すると、第２ＥＯＳミラー４２によって反射されて、ＥＯＳセンサ３６の受光面３６Ａに導かれる。
【００７４】
このように、主走査方向の異なる位置でレーザ光を反射してＥＯＳセンサ３６の受光面３６Ａに導くことで、第１ＥＯＳミラー４１で反射されたレーザ光と第２ＥＯＳミラー４２で反射されたレーザ光とが、異なるタイミング（光路長）でＥＯＳセンサ３６の受光面３６Ａに入射される。
【００７５】
第１ＥＯＳミラー４１によってＥＯＳセンサ３６の受光面３６Ａへ導かれるレーザ光の光路は、第２ＥＯＳミラー４２によってＥＯＳセンサ３６の受光面３６Ａに導かれるレーザ光の光路も長くなっており、深度位置の異なるレーザ光がＥＯＳセンサ３６の受光面３６Ａに入射される。そして、検出部３９が、第１ＥＯＳミラー４１で反射されたレーザ光と第２ＥＯＳミラー４２で反射されたレーザ光とのビーム径を検知し、両者の関係からレーザ光の感光体１３０の外周面上に対する焦点位置のずれ及びそのずれ量を検出する。
【００７６】
検出部３９によって検出されたレーザ光の焦点位置が、感光体１３０の外周面上からずれている場合には、コリメータレンズ１６、第１レンズ２１及び第２レンズ２２の少なくとも１つが、移動機構５０によって、検出されたずれ量分、レーザ光の照射方向（進行方向）及びその反対方向へ移動され、レーザ光の焦点位置が調整される。
【００７７】
また、本実施形態では、主走査方向の異なる位置でレーザ光を反射してＥＯＳセンサ３６の受光面３６Ａに導くので、予め定められた位置に到達したレーザ光を分割することで深度位置の異なるレーザ光をＥＯＳセンサ３６の受光面３６Ａに導く構成（比較例）に比べて、レーザ光の強度が低下せずに、ＥＯＳセンサ３６の受光面３６Ａにレーザ光が入射する。このように、レーザ光の強度が低下しないので、レーザ光の強度が低下する場合に比べて、ノイズに対する感度が低く、誤検知が抑制される。
【００７８】
また、本実施形態では、第１ＥＯＳミラー４１及び第２ＥＯＳミラー４２によってＥＯＳセンサ３６の受光面３６Ａへ導かれるレーザ光は、ＥＯＳセンサ３６の受光面３６Ａに対して同一角度で入射するので、レーザ光のビームサイズが同じである場合では受光面３６Ａ上のビームサイズに差が生じず、レーザ光に対するＥＯＳセンサ３６の検知感度を等しくなる。
【００７９】
さらに、本実施形態では、走査開始タイミング及び走査終了タイミングを検出するための発光部１２Ａとは異なる単一の発光部１２Ａ又は複数の発光部１２Ａが、レーザ光の焦点位置を検出するために用いられる。このため、複数の発光部１２Ａの寿命のばらつきが抑制される。
【００８０】
また、一つのＥＯＳセンサ３６によって、深度位置の異なるレーザ光を検知するので、複数のセンサで検知する構成に比べて、装置の小型化が図れる。また、複数のセンサで検知する構成では、センサの個々の特性によって検知ばらつきの問題が生じるが、本実施形態では、一つのＥＯＳセンサ３６によって、深度位置の異なるレーザ光を検知するので、当該問題が発生しない。
【００８１】
また、同じタイミングでＥＯＳセンサ３６の受光面３６Ａにレーザ光を入射させる構成（比較例）とした場合では、第１ＥＯＳミラー４１で反射されたレーザ光と第２ＥＯＳミラー４２で反射されたレーザ光とが区別されないため、同じタイミングでＥＯＳセンサ３６の受光面３６Ａにレーザ光を入射させる場合では、複数の受光面を有するセンサを用いて、異なる受光面にレーザ光を入射させる必要があるが、本実施形態の構成では、異なるタイミングでＥＯＳセンサ３６の受光面３６Ａにレーザ光が入射するので、複数の受光面を有するセンサを用いる必要がない。
【００８２】
また、本実施形態では、検出部３９によってレーザ光の主走査方向のビームサイズが検出される構成であったが、図８に示すように、第１受光面３６Ａと第２受光面３７Ａとを有するＥＯＳセンサ３６を用いて、レーザ光の主走査方向のビームサイズ及び副走査方向のビームサイズを検出する構成であってもよい。
【００８３】
図８に示す構成では、第１受光面３６Ａは、主走査方向と直交するエッジ部３６Ｂを有し、第２受光面３７Ａは、走査方向に対して傾けられており、主走査方向に対して傾斜したエッジ部３７Ｂを有している。これにより、第２受光面３７Ａは、レーザ光の主走査方向のビームサイズ及び副走査方向のビームサイズに感度を有することになる。すなわち、レーザ光の主走査方向のビームサイズ及び副走査方向のビームサイズが小さい場合には、主走査方向に走査されるレーザ光が第２受光面３７Ａのエッジ部３７Ｂを通過する通過時間（立下り時間）が短く（図８（Ａ）参照）、レーザ光の主走査方向のビームサイズ及び副走査方向のビームサイズが大きい場合には、当該通過時間が長くなる（図８（Ｂ）参照）。
【００８４】
図８に示す構成では、第１受光面３６Ａにおいて、主走査方向と直交するエッジ部３６Ｂを、主走査方向に走査されるレーザ光が通過する通過時間によって、レーザ光の主走査方向のビームサイズが検出される。
【００８５】
第２受光面３７Ａにおいて、主走査方向と直交するエッジ部３７Ｂを、主走査方向に走査されるレーザ光が通過する通過時間と、第１受光面３６Ａによって検出された主走査方向のビームサイズから求められる係数と、から演算してレーザ光の副走査方向のビームサイズが検出される。
【００８６】
なお、ＥＯＳセンサ３６の第１受光面３６Ａ及び第２受光面３７Ａが、それぞれ、図８に示す形状をしている構成でなくてもよく、例えば、ＥＯＳセンサ３６のレーザ光の入射側に、図８に示す形状をしたスリットを設ける構成であってもよい。この構成では、スリットを通過する通過時間によってレーザ光のビーム径（ビームサイズ）が検出される。
【００８７】
また、ビームサイズを検出する方法は、これに限られず、例えば、センサに入射するビームの強度を代用特性としてビームサイズを検出する構成であってもよく、ビームサイズを検出できればよい。なお、ビームサイズは、大きい場合にビームの強度が下がり、小さい場合にビームの強度が上がる特性を有している。
【００８８】
図８に示すＥＯＳセンサ３６を用いる構成では、主走査方向に屈折力をもつ光学系に加えて、例えば、副走査方向に屈折力をもつ光学系であるシリンドリカルレンズ２４が、レーザ光の照射方向（進行方向）及びその反対方向へ移動可能に構成されており、レーザ光の焦点位置が調整可能とされている。
【００８９】
なお、副走査方向に屈折力をもつ光学系が、他にある構成において、当該光学系をレーザ光の照射方向（進行方向）及びその反対方向へ移動させることでレーザ光の焦点位置が調整可能としてもよい。
【００９０】
また、本実施形態では、第１ＥＯＳミラー４１及び第２ＥＯＳミラー４２によってＥＯＳセンサ３６の受光面３６Ａへ導かれるレーザ光は、ＥＯＳセンサ３６の受光面３６Ａに対して同一角度で入射するようになっていたが、ＥＯＳセンサ３６の受光面３６Ａに対して異なる角度で入射する構成であってもよい。この場合は、レーザ光のビームサイズが同じであっても、入射角度が異なる分、ＥＯＳセンサ３６の受光面３６Ａ上のビームサイズに差が生じるので、その分を補正することになる。
【００９１】
（第１変形例）
次に、第１変形例に係る光走査装置１０１について図９に基づき説明する。なお、光走査装置１０と同一機能を有する部分には、同一符号を付して、適宜説明を省略する。
【００９２】
前述の光走査装置１０では、第１ＥＯＳミラー４１が予め定められた第１位置で第２ミラー３２からのレーザ光を反射し、第２ＥＯＳミラー４２が第１位置よりも走査方向終了側の予め定められた第２位置で第２ミラー３２からのレーザ光を反射するように構成されていたが、第１変形例に係る光走査装置１０１は、第２ＥＯＳミラー４２がなく、光走査装置１０における第１ＥＯＳミラー４１が、予め定められた第１位置で第２ミラー３２からのレーザ光を反射し、第１位置よりも走査方向終了側の予め定められた第２位置で第２ミラー３２からのレーザ光を反射するように構成されている。
【００９３】
光走査装置１０１では、第２ミラー３２とＥＯＳセンサ３６との間には、第１ＥＯＳミラー４１によって第２位置で反射されたレーザ光を反射する第３反射ミラー１０６と、第３反射ミラー１０６によって反射されたレーザ光を反射してＥＯＳセンサ３６に導く第４反射ミラー１０８と、が設けられている。
【００９４】
第３反射ミラー１０６及び第４反射ミラー１０８は、平面視にて、第１ＥＯＳミラー４１によって第１位置で反射されたレーザ光の光路を挟むように設けられており、第３反射ミラー１０６によって反射されたレーザ光の光路が、第１ＥＯＳミラー４１によって第１位置で反射されたレーザ光の光路と、交差するようになっている。なお、当該光路同士は、交差しない構成であってもよい。
【００９５】
第１ＥＯＳミラー４１によって第２位置で反射されたレーザ光の光路が、第１ＥＯＳミラー４１によって第１位置で反射されたレーザ光の光路より長くなっている。
【００９６】
第１変形例では、第２ミラー３２で反射されたレーザ光であって、かつ、複数の発光部１２Ａのうちの一の発光部１２Ａから照射されたレーザ光のうち、感光体１３０の画像領域Ｒ１よりも走査方向終了側（図９における左側）へ走査されるレーザ光は、予め定められた第１位置に到達すると、第１ＥＯＳミラー４１によって反射されて、ＥＯＳセンサ３６の受光面３６Ａに導かれる。
【００９７】
当該感光体１３０の画像領域Ｒ１よりも走査方向終了側（図９における左側）へ走査されるレーザ光は、第１位置よりも走査方向終了側（図９における左側）にずれた第２位置に到達すると、第１ＥＯＳミラー４１、第３反射ミラー１０６及び第４反射ミラー１０８の順で反射されて、ＥＯＳセンサ３６の受光面３６Ａに導かれる。第２位置で反射されてＥＯＳセンサ３６の受光面３６Ａに導かれるレーザ光は、第１位置で反射されてＥＯＳセンサ３６の受光面３６Ａへ導かれるレーザ光の光路も長くなっており、深度位置の異なるレーザ光がＥＯＳセンサ３６の受光面３６Ａが入射される。
【００９８】
このように、主走査方向の異なる位置でレーザ光を反射してＥＯＳセンサ３６の受光面３６Ａに導くことで、第１位置で反射されたレーザ光と第２位置で反射されたレーザ光とが、異なるタイミングでＥＯＳセンサ３６の受光面３６Ａに入射される。このように、第１変形例に光走査装置１０１は、レーザ光がＥＯＳセンサ３６の受光面３６Ａに対して同一角度で入射する点を除いて、前述の光走査装置１０と同様の作用を有する。
【００９９】
（第２変形例）
次に、第２変形例に係る光走査装置１０２について図１０に基づき説明する。なお、光走査装置１０及び光走査装置１０１と同一機能を有する部分には、同一符号を付して、適宜説明を省略する。
【０１００】
第２変形例に係る光走査装置１０２では、光走査装置１０１における第４反射ミラー１０８に替えて、ハーフミラー２１２を有している。
【０１０１】
ハーフミラー２１２は、第１ＥＯＳミラー４１によって第１位置で反射されてＥＯＳセンサ３６の受光面３６Ａへ導かれるレーザ光の光路中に設けられており、当該レーザ光を透過して、ＥＯＳセンサ３６の受光面３６Ａへ導くように構成されている。
【０１０２】
さらに、ハーフミラー２１２は、第３反射ミラー１０６によって反射されたレーザ光を反射して、第１位置で反射されてＥＯＳセンサ３６の受光面３６Ａへ導かれるレーザ光と同一方向にＥＯＳセンサ３６に導くように構成されている。
【０１０３】
なお、第１位置で反射されたレーザ光を透過すると共に、第３反射ミラー１０６によって反射されたレーザ光を反射して、第１位置で反射されてＥＯＳセンサ３６の受光面３６Ａへ導かれるレーザ光と同一方向にＥＯＳセンサ３６に導く光学素子としては、ハーフミラーに限られず、例えば、プリズムであってもよく、他の光学素子を用いてもよい。
【０１０４】
第２変形例では、第２ミラー３２で反射されたレーザ光であって、かつ、複数の発光部１２Ａのうちの一の発光部１２Ａから照射されたレーザ光のうち、感光体１３０の画像領域Ｒ１よりも走査方向終了側（図１０における左側）へ走査されるレーザ光は、予め定められた第１位置に到達すると、第１ＥＯＳミラー４１によって反射されて、ハーフミラー２１２を透過し、ＥＯＳセンサ３６の受光面３６Ａに導かれる。
【０１０５】
当該感光体１３０の画像領域Ｒ１よりも走査方向終了側（図１０における左側）へ走査されるレーザ光は、第１位置よりも走査方向終了側（図１０における左側）にずれた第２位置に到達すると、第１ＥＯＳミラー４１、第３反射ミラー１０６及びハーフミラー２１２の順で反射されて、ＥＯＳセンサ３６の受光面３６Ａに導かれる。第２位置で反射されてＥＯＳセンサ３６の受光面３６Ａに導かれるレーザ光は、第１位置で反射されてＥＯＳセンサ３６の受光面３６Ａへ導かれるレーザ光の光路も長くなっており、深度位置の異なるレーザ光がＥＯＳセンサ３６の受光面３６Ａが入射される。
【０１０６】
このように、主走査方向の異なる位置でレーザ光を反射してＥＯＳセンサ３６の受光面３６Ａに導くことで、第１位置で反射されたレーザ光と第２位置で反射されたレーザ光とが、異なるタイミングでＥＯＳセンサ３６の受光面３６Ａに入射される。
【０１０７】
また、第２変形例では、第１位置及び第２位置で反射されてＥＯＳセンサ３６の受光面３６Ａへ導かれるレーザ光は、ＥＯＳセンサ３６の受光面３６Ａに対して同一方向（同一角度）で入射するので、レーザ光のビームサイズが同じである場合では受光面３６Ａ上のビームサイズに差が生じず、レーザ光に対するＥＯＳセンサ３６の検知感度を等しくなる。このように、第２変形例の光走査装置１０２は、前述の光走査装置１０と同様の作用を有する。
【０１０８】
（第３変形例）
次に、第３変形例に係る光走査装置１０３について図１１に基づき説明する。なお、光走査装置１０と同一機能を有する部分には、同一符号を付して、適宜説明を省略する。
【０１０９】
前述の光走査装置１０では、ＥＯＳセンサ３６が、レーザ光の焦点位置を検出するために、レーザ光を検知する検知手段して機能する構成となっていたが、第３変形例に係る光走査装置１０３では、ＳＯＳセンサ３４が、レーザ光の焦点位置を検出するために、第２ミラー３２で反射されたレーザ光を検知する検知手段して機能する構成となっている。ＳＯＳセンサ３４は、ＥＯＳセンサ３６と同様に構成されており、ＳＯＳセンサ３４には、検出部３９（判定部）が接続されている。検出部３９は、ＥＯＳセンサ３６における場合と同様に、レーザ光の焦点位置を検出するように構成されている。
【０１１０】
第２ミラー３２とＳＯＳレンズ４０との間には、第２ミラー３２で反射されたレーザ光を走査方向開始側においてＳＯＳセンサ３４の受光面３４Ａへ導く第１導き手段の一例としての第１反射ミラー（以下、第１ＳＯＳミラーという）３４１と、第２ミラー３２で反射されたレーザ光を走査方向開始側においてＳＯＳセンサ３４の受光面３４Ａへ導く第２導き手段の一例としての第２反射ミラー（以下、第２ＳＯＳミラーという）３４２と、が設けられている。
【０１１１】
第１ＳＯＳミラー３４１及び第２ＳＯＳミラー３４２は、第２ミラー３２で反射されたレーザ光のうち、感光体１３０の画像領域外Ｒ２に走査されるレーザ光、具体的には、感光体１３０の画像領域Ｒ１よりも走査方向開始側（図１１における右側）に照射されるレーザ光を反射することで、ＳＯＳセンサ３４の受光面３４Ａに導くようになっている。
【０１１２】
第１ＳＯＳミラー３４１は、第２ＳＯＳミラー３４２よりも走査方向開始側（図１１における右側）に設けられており、第１ＳＯＳミラー３４１は、予め定められた第１位置で第２ミラー３２からのレーザ光を反射し、第２ＳＯＳミラー３４２は、第１位置よりも走査方向終了側の予め定められた第２位置で第２ミラー３２からのレーザ光を反射するように構成されている。
【０１１３】
また、第２ＳＯＳミラー３４２は、第１ＳＯＳミラー３４１よりも、第２ミラー３２の反射面から離れた位置であって、かつ、ＳＯＳセンサ３４の受光面３４Ａから離れた位置で、レーザ光を反射するように構成されている。これにより、第２ＳＯＳミラー３４２によってＳＯＳセンサ３４の受光面３４Ａへ導かれるレーザ光の光路が、第２ミラー３２の反射面から離れた長さ分、及びＳＯＳセンサ３４の受光面３４Ａから離れた長さ分、第１ＳＯＳミラー３４１によってＳＯＳセンサ３４の受光面３４Ａへ導かれるレーザ光の光路も長くなっている。従って、ＳＯＳセンサ３４の受光面３４Ａへは、深度位置の異なるレーザ光が入射されるようになっている。
【０１１４】
さらに、第１ＳＯＳミラー３４１及び第２ＳＯＳミラー３４２によってＳＯＳセンサ３４の受光面３４Ａへ導かれるレーザ光は、ＳＯＳセンサ３４の受光面３４Ａに対して同一角度で入射するように、第１ＳＯＳミラー３４１、第２ＳＯＳミラー３４２及びＳＯＳセンサ３４の位置及び角度（向き）が設定されている。
【０１１５】
なお、第２ＳＯＳミラー３４２によってＳＯＳセンサ３４の受光面３４Ａへ導かれるレーザ光の光路が、第１ＳＯＳミラー３４１によってＳＯＳセンサ３４の受光面３４Ａへ導かれるレーザ光の光路よりも短くなっている構成であってもよい。
【０１１６】
第３変形例の構成では、第２ミラー３２で反射されたレーザ光であって、かつ、複数の発光部１２Ａのうちの一の発光部１２Ａから照射されたレーザ光のうち、感光体１３０の画像領域Ｒ１よりも走査方向開始側（図１１における右側）へ走査されるレーザ光は、予め定められた第１位置に到達すると、第１ＳＯＳミラー３４１によって反射されて、ＳＯＳセンサ３４の受光面３４Ａに導かれる。
【０１１７】
当該感光体１３０の画像領域Ｒ１よりも走査方向開始側（図１１における右側）へ走査されるレーザ光は、第１位置よりも走査方向終了側（図１１における左側）にずれた第２位置に到達すると、第２ＳＯＳミラー３４２によって反射されて、ＳＯＳセンサ３４の受光面３４Ａに導かれる。
【０１１８】
第２ＳＯＳミラー３４２によって反射されてＳＯＳセンサ３４の受光面３４Ａに導かれるレーザ光は、第１ＳＯＳミラー３４１によって反射されてＳＯＳセンサ３４の受光面３４Ａへ導かれるレーザ光の光路も長くなっており、深度位置の異なるレーザ光がＳＯＳセンサ３４の受光面３４Ａに入射される。
【０１１９】
このように、主走査方向の異なる位置でレーザ光を反射してＳＯＳセンサ３４の受光面３４Ａに導くことで、第２ＳＯＳミラー３４２によって反射されたレーザ光と第１ＳＯＳミラー３４１によって反射されたレーザ光とが、異なるタイミングでＳＯＳセンサ３４の同一の受光面３４Ａに入射される。
【０１２０】
このように、主走査方向の異なる位置でレーザ光を反射してＳＯＳセンサ３４の受光面３４Ａに導くことで、第２ＳＯＳミラー３４２によって反射されたレーザ光と第１ＳＯＳミラー３４１によって反射されたレーザ光とが、異なるタイミングでＳＯＳセンサ３４の同一の受光面３４Ａに入射される。このように、第３変形例に光走査装置１０３は、前述の光走査装置１０と同様の作用を有する。
【０１２１】
なお、図１１に示す光走査装置１０３では、前述の光走査装置１０における第２ＥＯＳミラー４２がなく、第１ＥＯＳミラー４１のみが設けられているが、前述の光走査装置１０と同様に、第１ＥＯＳミラー４１及び第２ＥＯＳミラー４２を設けて、ＥＯＳセンサ３６においてもレーザ光の焦点位置を検出する構成であってもよい。
【０１２２】
また、光走査装置としては、ＥＯＳセンサを有せず、ＳＯＳセンサのみを有する構成であってもよい。従って、図１１に示す光走査装置１０３において、ＥＯＳセンサ３６、ＥＯＳレンズ４４及び第１ＥＯＳミラー４１を有さない構成であってもよい。
【０１２３】
本発明は、上記の実施形態に限るものではなく、種々の変形、変更、改良が可能である。例えば、上記に示した変形例は、適宜、複数を組み合わせて構成しても良い。
【符号の説明】
【０１２４】
１０   光走査装置
１２   光源
１２Ａ 発光部
１４   回転多面鏡（走査手段の一例）
３４   ＳＯＳセンサ
３６   ＥＯＳセンサ
３９   検出部
４１   第１ＥＯＳミラー（第１導き手段の一例）
４２   第２ＥＯＳミラー（第２導き手段の一例）
１０１ 光走査装置
１０２ 光走査装置
１０３ 光走査装置
１１０ 画像形成装置
１３０ 感光体
３４１ 第１ＳＯＳミラー（第１導き手段の一例）
３４２ 第２ＳＯＳミラー（第２導き手段の一例）
【図１】
2013029535.tif 000003
【図２】
2013029535.tif 000004
【図３】
2013029535.tif 000005
【図４】
2013029535.tif 000006
【図５】
2013029535.tif 000007
【図６】
2013029535.tif 000008
【図７】
2013029535.tif 000009
【図８】
2013029535.tif 000010
【図９】
2013029535.tif 000011
【図１０】
2013029535.tif 000012
【図１１】
2013029535.tif 000013